(57)【要約】【課題】使用者の健康状態に異常がある場合、危急状況であることを外部に通知する機能を有する危急状況通知システム、並びに移動通信端末及び健康管理サーバーで適用可能な危急状況通知方法を提供する。【解決手段】本発明の一態様による危急状況通知システムは、使用者の生体信号を測定し、測定したこの生体信号によって使用者の健康状態が危急な状態であるか否かを判断し、危急な状態である場合には既に格納した音源データをベル音として出力する。本発明によれば生体信号によって使用者の健康状態が危急な状態であるか否かを判断し、危急な状態である場合には既に格納した音源データをベル音として出力することによって、人が少ない所で使用者が意識を失ったり激しい痛みを感じたりする場合にも他人に救助を要請して速かに対処できる効果がある。【選択図】図１
2007334893.tif 000002
【特許請求の範囲】
【請求項１】
使用者の生体信号を測定して外部に伝送し、健康管理サーバーから緊急アラーム信号が受信されると、音源データをベル音として出力する移動通信端末と、
前記移動通信端末から受信された生体信号によって使用者の健康状態が危急な状態であるか否かを判断し、危急な状態である場合には前記移動通信端末に緊急アラーム信号を伝送する健康管理サーバーと、
を備えることを特徴とする危急状況通知システム。
【請求項２】
前記移動通信端末は、使用者の生体信号を測定する生体信号測定部と、
危急状況を通知する音源データを格納するデータ格納部と、
前記健康管理サーバーと通信可能な通信部と、
前記通信部を通じて前記生体信号測定部で測定された生体信号を伝送し、前記健康管理サーバーから緊急アラーム信号が受信されると、前記データ格納部に格納された音源データのうちいずれかをベル音として出力する制御部と、
前記制御部から出力される音源データを再生してスピーカーから可聴音として出力するデータ出力部とを、含むことを特徴とする請求項１に記載の危急状況通知システム。
【請求項３】
前記移動通信端末は、発信番号と、その発信番号に対応する音源データ情報を格納する電話帳格納部をさらに含み、
前記制御部は、前記電話帳格納部に格納された情報に基づいて、緊急アラーム信号の発信番号によって、それに対応する音源データをベル音として選択して出力することを特徴とする請求項２に記載の危急状況通知システム。
【請求項４】
前記制御部は、前記健康管理サーバーから緊急アラーム信号が受信されると、音源データを最大ボリュームで出力することを特徴とする請求項３に記載の危急状況通知システム。
【請求項５】
前記移動通信端末は、近距離無線通信を行う近距離無線通信部をさらに含み、
前記制御部は、音源データをベル音として選択して出力した後、所定の時間操作信号の入力がなければ、前記近距離無線通信部を通じて非常警報音出力信号を送出し、
前記危急状況通知システムは、前記移動通信端末から非常警報音出力信号を受信する近距離無線通信部と、
前記近距離無線通信部を通じて前記非常警報音出力信号が受信されると、非常警報音を出力する警報音出力部と、を含む非常警報装置をさらに備えることを特徴とする請求項４に記載の危急状況通知システム。
【請求項６】
前記健康管理サーバーは、前記移動通信端末から生体信号を受信する通信部と、
前記通信部で受信された生体信号に基づいて、使用者の健康状態が危急な状態であるか否かを判断する危急状況判断部と、
前記危急状況判断部で危急な状態であると判断された場合緊急アラーム信号を生成して前記通信部を通じて前記移動通信端末に伝送する緊急アラーム部を含むことを特徴とする請求項１乃至５のいずれかに記載の危急状況通知システム。
【請求項７】
前記緊急アラーム部は、使用者の生体信号を分析し、その分析結果によって他の発信番号に緊急アラーム信号を伝送することを特徴とする請求項６に記載の危急状況通知システム。
【請求項８】
前記危急状況通知システムは、ＳＭＳ（Ｓｈｏｒｔ  Ｍｅｓｓａｇｅ  Ｓｅｒｖｉｃｅ）メッセージを生成して伝送する文字メッセージサーバーをさらに含み、
前記緊急アラーム部は、前記文字メッセージサーバーを通じて緊急アラーム信号をＳＭＳメッセージで伝送することを特徴とする請求項６に記載の危急状況通知システム。
【請求項９】
前記移動通信端末は、受信したＳＭＳメッセージをパスするメッセージパス部をさらに含み、
前記制御部は、前記パスされたＳＭＳメッセージ情報によって、それに対応する音源データをベル音として出力することを特徴とする請求項８に記載のことを特徴とする危急状況通知システム。
【請求項１０】
前記健康管理サーバーは、前記移動通信端末の番号に対応する保護者の移動通信端末番号を格納する加入者情報格納部をさらに含み、
前記緊急アラーム部は、前記加入者情報格納部に格納された情報によって保護者の移動通信端末に前記移動通信端末情報と緊急アラーム信号をさらに伝送することを特徴とする請求項７または８に記載の危急状況通知システム。
【請求項１１】
使用者の生体信号を測定する生体信号測定部と、
危急状況を通知する音源データを格納するデータ格納部と、
前記生体信号測定部で測定された生体信号に基づいて、使用者の健康状態が危急な状態であるか否かを判断する危急状況判断部と、
前記危急状況判断部で危急な状態であると判断されると、前記データ格納部に格納された音源データのうちいずれかをベル音として出力する制御部と、
前記制御部から出力された音源データを再生してスピーカーから可聴音として出力するデータ出力部と、を有する移動通信端末を備えることを特徴とする危急状況通知システム。
【請求項１２】
前記移動通信端末は、前記生体信号測定部で測定された生体信号を健康管理サーバーに伝送する通信部をさらに含み、
前記危急状況通知システムは、前記移動通信端末から伝送された使用者の生体信号情報を格納して使用者の健康状態を管理する健康管理サーバーをさらに備えることを特徴とする請求項１１に記載の危急状況通知システム。
【請求項１３】
使用者の生体信号を測定する段階と、
前記測定された生体信号を外部に伝送し、健康管理サーバーから緊急アラーム信号を受信する段階と、
緊急アラーム信号が受信されると、データ格納部に格納された音源データをベル音として出力する段階と、
を有することを特徴とする移動通信端末で適用可能な危急状況通知方法。
【請求項１４】
前記ベル音として出力する段階は、受信された緊急アラーム信号の発信番号によって、それに対応する音源データをベル音として出力することを特徴とする請求項１３に記載の移動通信端末で適用可能な危急状況通知方法。
【請求項１５】
生体信号を受信する段階と、
前記受信された生体信号に基づいて、使用者の健康状態が危急な状態であるか否かを判断する段階と、
前記判断結果危急な状態であると判断された場合、緊急アラーム信号を生成して移動通信端末に伝送する段階と、
を有することを特徴とする健康管理サーバーで適用可能な危急状況通知方法。
【請求項１６】
前記移動通信端末に伝送する段階は、緊急アラーム信号をＳＭＳメッセージで伝送することを特徴とする請求項１５に記載の健康管理サーバーで適用可能な危急状況通知方法。
【発明の詳細な説明】
【技術分野】
【０００１】
本発明は危急状況通知システム、並びに移動通信端末及び健康管理サーバーで適用可能な危急状況通知方法に関するもので、特に、使用者の健康状態に異常がある場合に危急状況であることを外部に通知する機能を有する危急状況通知システム、並びに移動通信端末及び健康管理サーバーで適用可能な危急状況通知方法に関するものである。
【背景技術】
【０００２】
通常、高血圧、高脂血症、糖尿、心臓病患者や喫煙者の場合は、定期的な健康検診などを通じて疾病を予め発見し、治療を受けることが好ましく、ストレスを受けないようにしなければならない。その症状として胸部位で突然圧迫感、痛み、充満感が感じられる場合、胸中から始まった痛みが肩、首、腕に広がると、頭が空虚な感じがしたり冷や汗または呼吸困難を伴ったりして、胸苦しい症状が現れることがある。またストレスを受けたり運動の後に胸の痛みが現れる場合、心臓拍動が速まったり不規則になるなどの症状が現れ、さらに症状が激しい場合には突然死に至る恐れもある。
一般的に突然死する人の半分以上は、以前にいかなる症状も現れないため、前述のような症状がある人は常時自分の健康をチェックする必要がある。
【０００３】
このように個人健康管理が重要になることによって、わざわざ病院に行って診断を受けなくても常時遠隔で使用者の生体信号を伝送し、健康管理サーバーでこれを管理するための技術が特許文献１に開示されている。
この技術はネットワークを通した医療情報統合管理システムに関するもので、現実とサイバー系上に存在する各種医療機観測端末とサービスを受けようとする会員側端末に各々ネットワークを通じて連結され、このネットワークを通じて伝えられる各種医療情報を統合して管理すると共に、会員が所望する医療情報を、ネットワークを通じて提供するサーバーを含む。全ての医療健康情報記録を個人別に累積して管理し、個々人が所望する際には、直ちにリアルタイムで医療健康情報を提供することができる技術に関するものである。
【０００４】
このような従来技術は単純に使用者が自分の健康をチェックして管理できる技術であり、例えば、トイレや人が少ない所で使用者が倒れた場合にはこれに対処できる方法が提示されていない。例えば、意識を失って倒れたり、自分の状況を通知することができない程度の痛みを感じたりする場合は、他人により発見される時まで時間が遅滞され、迅速な応急治療が行われないため、状況がより悪化する恐れがあるという問題点があった。
【０００５】
一方、非特許文献１の３５４−３８１頁に開示された「心拍変動率−測定、生理的解析及び臨床使用の標準（Ｈｅａｒｔ  ｒａｔｅ  Ｖａｒｉａｂｉｌｉｔｙ−Ｓｔａｎｄｒａｄｅｓ  ｏｆ  Ｍｅａｓｕｒｅｍｅｎｔ、ｐｈｙｓｉｌｏｌｇｉｃａｌ  ｉｎｔｅｒｐｒｅｔａｔｉｏｎ、ａｎｄ  ｃｌｉｎｉｃａｌ  ｕｓｅ）」との題目のガイドラインには心電図（ｅｌｅｃｔｒｏｃａｒｄｉｏｇｒａｍ、ＥＣＧ）波形の分析を通じて、多様な生理的な現象をモニターでき、これを通じて突然心臓死（ｓｕｄｄｅｎ  ｃａｒｄｉａｃ  ｄｅａｔｈ）の危険の段階化を改善（ｅｎｈａｎｃｅ  ｒｉｓｋ  ｓｔｒａｔｉｆｉｃａｔｉｏｎ）できることを開示している。この論文はＥＣＧ波形の分析のための標準的なパラメータと、測定単位及びその間の研究を通じて認められたそれぞれの生体指数の意味を整理している。
この報告書によれば、ＥＣＧ波形の心搏動変動率（Ｈｅａｒｔ  Ｒａｔｅ  Ｖａｒｉａｂｉｌｉｔｙ、ＨＲＶ）を時間領域（ｔｉｍｅ  ｄｏｍａｉｎ）及び周波数領域（ｆｒｅｑｕｅｎｃｙ  ｄｏｍａｉｎ）で解析することによって、多様な生理的な指数をモニターできる。時間領域の解析に関連した指数のうち、ＳＤＮＮは２４時間間のＥＣＧ波形全体の標準偏差値である。この値はホルモンの影響に反応する心臓の本質的な能力を反映する。
【０００６】
【特許文献１】韓国公開特許公報第１０−２０１−９３９８６号
【非特許文献１】１９９６ヨーロッパ心臓ジャーナル（ＥｕｒｏｅａｎＨｅａｒｔ  Ｊｏｕｒｎａｌ）
【発明の開示】
【発明が解決しようとする課題】
【０００７】
そこで、本発明は上記従来の問題点に鑑みてなされたものであって、本発明の目的は、使用者の健康状態に異常がある場合、危急状況であることを外部に通知することができる危急状況通知システム、並びに移動通信端末及び健康管理サーバーで適用可能な危急状況通知方法を提供することにある。
また、本発明の他の目的は使用者に危急状況が発生した場合、迅速で正確に患者に応急措置を行うことができる危急状況通知システム、並びに移動通信端末及び健康管理サーバーで適用可能な危急状況通知方法を提供することにある。
【課題を解決するための手段】
【０００８】
上記目的を達成するためになされた本発明の一特徴による危急状況通知システムは、使用者の生体信号を測定して外部に伝送し、健康管理サーバーから緊急アラーム信号が受信されると、音源データをベル音として出力する移動通信端末と、前記移動通信端末から受信された生体信号によって使用者の健康状態が危急な状態であるか否かを判断し、危急な状態である場合には前記移動通信端末に緊急アラーム信号を伝送する健康管理サーバーと、を備える。
ここで、前記移動通信端末は、使用者の生体信号を測定する生体信号測定部と、危急状況を通知する音源データを格納するデータ格納部と、前記健康管理サーバーと通信可能な通信部と、前記通信部を通じて前記生体信号測定部で測定された生体信号を伝送し、前記健康管理サーバーから緊急アラーム信号が受信されると、前記データ格納部に格納された音源データのうちいずれかをベル音として出力する制御部と、前記制御部から出力される音源データを再生してスピーカーから可聴音として出力するデータ出力部とを、含むことが好ましい。
【０００９】
また、上記目的を達成するためになされた本発明の他の特徴による危急状況通知システムは、使用者の生体信号を測定する生体信号測定部と、危急状況を通知する音源データを格納するデータ格納部と、前記生体信号測定部で測定された生体信号に基づいて、使用者の健康状態が危急な状態であるか否かを判断する危急状況判断部と、前記危急状況判断部で危急な状態であると判断されると、前記データ格納部に格納された音源データのうちいずれかをベル音として出力する制御部と、前記制御部から出力された音源データを再生してスピーカーから可聴音として出力するデータ出力部と、を有する移動通信端末を備える。
【００１０】
上記目的を達成するためになされた本発明の一特徴による移動通信端末で適用可能な危急状況通知方法は、使用者の生体信号を測定する段階と、前記測定された生体信号を外部に伝送し、健康管理サーバーから緊急アラーム信号を受信する段階と、緊急アラーム信号が受信されると、データ格納部に格納された音源データをベル音として出力する段階と、を有する。
【００１１】
上記目的を達成するためになされた本発明の一特徴による健康管理サーバーで適用可能な危急状況通知方法は、生体信号を受信する段階と、前記受信された生体信号に基づいて、使用者の健康状態が危急な状態であるか否かを判断する段階と、前記判断結果危急な状態であると判断された場合、緊急アラーム信号を生成して移動通信端末に伝送する段階と、を有する。
【発明の効果】
【００１２】
本発明の危急状況通知システム、並びに移動通信端末及び健康管理サーバーで適用可能な危急状況通知方法によれば、人が少ない所で使用者が意識を失ったり激しい痛みを感じたりする場合にも他人に救助を要請して速かに対処できる効果がある。
また、使用者の健康状態に対応して迅速で正確に患者に応急処置を行うことができる効果がある。
また、使用者の健康状態が危急な場合に使用者の移動通信端末だけでなく、指定した使用者の保護者の移動通信端末に危急状況による緊急アラーム信号を伝送することによって、緊急状況に対処できる。
本発明のもう一つの態様によれば、外部の健康管理サーバーとの通信なしに移動通信端末自体内で使用者の生体信号による健康状態を判断し、危急な状態の場合には格納した音源データをベル音として出力することによって危急状況により速かに反応できる効果がある。
【発明を実施するための最良の形態】
【００１３】
以下、本発明の危急状況通知システム、並びに移動通信端末及び健康管理サーバーで適用可能な危急状況通知方法を実施するための最良の形態の具体例を、添付した図面を参照して、詳細に説明する。
【００１４】
図１は、本発明の一実施形態による危急状況通知システムの構成を概略的に示したブロック図である。図１に示すように、本発明による危急状況通知システムは、使用者の生体信号を測定して外部に伝送し、健康管理サーバーから緊急アラーム信号が受信されると、音源データをベル音として出力する移動通信端末１０と、移動通信端末１０から受信される生体信号によって使用者の健康状態が危急な状態であるか否かを判断し、危急な状態である場合には移動通信端末１０に緊急アラーム信号を伝送する健康管理サーバー２０を含む。
【００１５】
本発明の移動通信端末１０は、移動通信網を通じて音声通話機能及びデータ通信／処理機能が可能な端末を通称する。移動通信端末１０はＰＤＡ（Ｐｅｒｓｏｎａｌ  Ｄｉｇｉｔａｌ  Ａｓｓｉｓｔａｎｔｓ）、セルフォン、ＰＣＳ（Ｐｅｒｓｏｎａｌ  Ｃｕｍｍｕｎｉｃａｔｉｏｎ  Ｓｅｒｖｉｃｅｓ）フォン、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）フォン、Ｗ−ＣＤＭＡ（Ｗｉｄｅｂａｎｄ  Ｃｏｄｅｄ  Ｄｉｖｉｓｉｏｎ  Ｍｕｌｔｉｐｌｅ  Ａｃｃｅｓｓ）、ＣＤＭＡ−２０００フォンなどを全て包括すると解釈すべきである。
【００１６】
本実施形態において、使用者は、自分の移動通信端末１０を利用して、いつどこででも自分の生体指数をモニターし、それに関連した重要な生体指数を測定できる。これらのデータは、画面にプロンプトされるメッセージに応答して、単純に一度のキー操作により健康管理サーバー２０に一括伝送できる。さらに、移動通信端末１０が周期的に使用者の生体指数情報を健康管理サーバー２０に伝送するように構成することができる。移動通信端末１０は、外部の健康管理サーバー２０から緊急信号が受信されると、それによって音源データを再生して出力する。
【００１７】
健康管理サーバー２０は、病院のような医療専門機関に備えられたコンピュータであり、自体が専門家システムにより運営されて生体指数をモニターできる。このようなモニターは個人が出会う思いがけない危険を予防することに大きく役立つ。以後、個人はウェブサイトを通じて自身の各種生体指数を測定した時間帯別にグラフなどを通じて便利に確認することができる。また遠隔地に位置した専任担当医師は自分に登録された患者の各種生体指数を測定した時間帯別にグラフを通じて確認することによって、長時間に亘るデータを通じて当該患者のためにより正確な診断を行うことが可能である。
【００１８】
本実施形態において、健康管理サーバー２０は、周期的に移動通信端末１０を通じて受信される使用者の生体信号をモニターし、モニター結果異常がある場合は、当該移動通信端末１０に緊急信号を伝送する。このような測定及び緊急呼び出しの機能は日常的に行われるので、事後的な処方に比べて心臓関連の突然死などを予防することに大きく役立つことができる。
【００１９】
本発明の一実施形態によって、移動通信端末１０は、使用者の生体信号を測定する生体信号測定部１１０と、危急状況を通知する音源データを格納するデータ格納部１６０と、健康管理サーバー２０と通信可能な通信部１３０と、通信部１３０を通じて生体信号測定部１１０で測定した生体信号を伝送し、健康管理サーバー２０から緊急アラーム信号が受信されると、データ格納部１６０に格納した音源データのうちいずれかをベル音として出力する制御部１２０と、制御部１２０から出力される音源データを再生してスピーカーから可聴音として出力するデータ出力部１４０を含む。
【００２０】
生体信号測定部１１０は、移動通信端末１０使用者の生体信号を測定するもので、一実施例として、使用者の心電図（ＥＣＧ）を測定する心電図測定器を含んで構成できる。心電図測定器は患者の身体に付着して人体の電気信号を検知する多数の電極を含む電極部と、電極部で検知した電気信号から生体転位を検出するアナログ信号処理部と、アナログ信号処理部から入力されるアナログデータをデジタルデータに変換するデジタル信号処理部を含んで構成できる。しかし、生体信号測定部１１０は、このような例に限定されるものではなく、血圧や血糖のように使用者の健康状態を把握できる生体信号の測定可能な構成を全て包括すると解釈すべきである。
【００２１】
データ格納部１６０は、フラッシュメモリで実現でき、コンピュータやウェブサイトからダウンロードした音源データを格納する。本実施形態において、データ格納部１６０は、使用者の健康状態が危急な場合に、この状況を外部に通知することができるように、少なくとも一つの音源データを格納する。例えば、音源データは「私が意識不明です。助けてください」或いは「低血糖ショックです。あめや砂糖をお願いします」のように、使用者の状態を通知することができる内容の音声データを含んで圧縮した形態で格納することができる。
【００２２】
通信部１３０は基地局（Ｂａｓｅ  Ｔｒａｎｓｃｅｉｖｅｒ  Ｓｔａｔｉｏｎ、ＢＴＳ）との通信のためのアンテナと、ＲＦ回路を含む周知の技術で構成できる。所定の周波数帯域の無線チャンネルで受信する周波数信号がアンテナを通じて受信されると、これを帯域下降変換（ダウンコンバート）し、データの種類を区別して制御部１２０に出力する。また制御部１２０から入力されるデータを帯域上昇変換（アップコンバート）し、アンテナを通じて所定の周波数帯域の無線信号に変換して基地局に伝送する。
【００２３】
制御部１２０は、デジタル信号プロセッサー（Ｄｉｇｉｔａｌ  ＳｉｇｎａｌＰｒｏｃｅｓｓｏｒ  、ＤＳＰ）と、マイクロプロセッサー、及び他の回路を含んでおり、移動通信端末の全体的な動作を制御する通常的な構成である。通信部１３０の基底帯域（ベースバンド）回路と制御部１２０の大部分の回路は、単一の集積回路として商用化され提供されている。通常、ＭＳＭチップと呼ばれるこの集積回路は、その内部に通信処理を行う専用のハードウェアと、デジタル信号処理機、及び汎用のマイクロプロセッサーを含む。制御部１２０を構成する各部分は、専用のハードウェア或いはソフトウェア、またはこれらの組み合わせにより構成できる。
【００２４】
本実施形態において、制御部１２０は、通信部１３０を通じて生体信号測定部１１０で測定した生体信号を健康管理サーバー２０に伝送し、健康管理サーバー２０から緊急アラーム信号が受信されると、データ格納部１６０に格納した音源データのうちいずれかをベル音として出力する。
【００２５】
本発明の一実施形態によって、制御部１２０は、健康管理サーバー２０から緊急アラーム信号が受信されると、音源データを最大ボリュームで出力する。制御部１２０は、緊急アラーム信号の受信によって音源データを出力する場合に、後述するデータ出力部１４０が最大音量で再生できるように制御する。例えば、当該音源データをデータ出力部１４０に含まれた増幅器で最大の大きさに増幅するように設定して出力できる。したがって、緊急状況が発生した場合には周辺に大きな音で救助を要請できる。
【００２６】
データ出力部１４０は制御部１２０から出力されるデータ格納部１６０に格納した音源データのうちいずれかを可聴音として再生して出力する。データ出力部１４０は公知の構成で、制御部１２０から出力された音源データをデコードするデコーダーと、デコードしたデジタルオーディオ信号の音源データをアナログ信号に変換するＤ／Ａ変換器と、アナログ信号に変換した信号を増幅して可聴音として出力するスピーカーを含む。
【００２７】
本発明の一実施形態におけるもう一つの態様によって、移動通信端末１０は、発信番号と、その発信番号に対応する音源データ情報を格納する電話帳格納部１５０をさらに含み、制御部１２０が電話帳格納部１５０に格納した情報に基づき、緊急アラーム信号の発信番号によって、それに対応する音源データを選択したベル音として出力する。
【００２８】
電話帳格納部１５０は、通常的な移動通信端末１０において、電話帳、発信メッセージ及び受信メッセージのように、更新可能な各種保管用データを格納するフラッシュメモリ（Ｆｌａｓｈ  ｍｅｍｏｒｙ）で実現できる。本実施形態において、電話帳格納部１５０は健康管理サーバー２０の当該発信番号と、その発信番号から緊急アラーム信号が受信された時に再生する音源データ情報を含む。例えば、０００−１２３４の発信番号に対しては「私が意識不明です。助けてください」との音源データの情報がマッチして格納され、０００−１２３３の発信番号に対しては「低血糖ショックです。あめや砂糖をお願いします」との音源データの情報がマッチして格納される。
【００２９】
制御部１２０は、緊急アラーム信号が受信されると、その発信番号を把握し、電話帳格納部１５０に格納した情報に基づいてその発信番号に対応する音源データをベル音として選択する。これによって、単純に救助を要請する内容のベル音だけでなく、使用者が意識を失った場合にも具体的にどのような方法で患者に応急処置を行うことができるかに対する当該内容を出力することによって、より迅速で正確に応急処置ができる効果がある。
【００３０】
本発明の一実施形態における追加的な態様によって、移動通信端末１０は近距離無線通信を行う近距離無線通信部１７０をさらに含み、制御部１２０は、音源データをベル音として選択して出力した後、所定の時間操作信号の入力がなければ、近距離無線通信部１７０を通じて非常警報音出力信号を送出する。また、危急状況通知システムは、移動通信端末１０から非常警報音出力信号を受信する近距離無線通信部３１０と、近距離無線通信部３１０を通じて非常警報音出力信号が受信されると、非常警報音を出力する警報音出力部３２０を有する非常警報装置３０をさらに含む。
【００３１】
近距離無線通信部１７０はブルートゥース（Ｂｌｕｅｔｏｏｔｈ（登録商標））モジュールでありうる。ブルートゥースモジュールは、ブルートゥース機器との通信を可能にするモジュールで、ブルートゥースモジュール間はＨＣＩ（Ｈｏｓｔ  Ｃｏｎｔｒｏｌ  Ｉｎｔｅｒｆａｃｅ）というインターフェースが定義されており、これに準じるメッセージ（Ｐａｃｋｅｔ）を送受信することによって、データの送受信を行う。本実施形態において、近距離無線通信部１７０は、ブルートゥースプロトコルに合う形式の電波で、非常警報音出力信号を、アンテナを通じて無線（２．４ＧＨｚ  ＩＳＭ（Ｉｎｄｕｓｔｒｉａｌ  Ｓｃｉｅｎｔｉｆｉｃ  Ｍｅｄｉｃａｌ）帯域）により伝送する。しかし、近距離無線通信部１７０は、これに限定されるものではなく、赤外線通信（Ｉｎｆｒａｒｅｄ  Ｄａｔａ  Ａｓｓｏｃｉａｔｉｏｎ、ＩｒＤＡ）、ジグビー（Ｚｉｇｂｅｅ）のような近距離無線通信が可能ないずれかの構成でありうる。
【００３２】
非常警報装置３０は、移動通信端末１０から非常警報音出力信号を受信する近距離無線通信部３１０と、近距離無線通信部３１０を通じて非常警報音出力信号が受信されると、非常警報音を出力する警報音出力部３２０を含む。
【００３３】
近距離無線通信部３１０は移動通信端末１０の近距離無線通信部１７０とのデータ送受信が可能な構成である。
【００３４】
警報音出力部３２０は、非常警報装置３０に備えられたバッテリーから印加される電源により駆動され、約１４０ｄＢの大きい音を出力できる回路から構成される。このような技術は既に公知された事項であるので、その詳細な説明は省略する。本実施形態において、警報音出力部３２０は、最小限移動通信端末１０の最大ボリュームより大きい音、或いは高い周波数の警報音を出力するように構成することが好ましい。本発明にあって、非常警報装置３０は、腕時計、或いは首飾りや移動通信端末１０のアクセサリー形態で使用者が容易に携帯するように構成することが可能である。
【００３５】
これによって、騷音がひどくて移動通信端末１０の最大音量によっても効果的に緊急状況を通知することができない場合には、高周波やサイレンなどのように、より強い救助要請信号を出力できる効果がある。
【００３６】
本発明の一実施形態におけるもう一つの態様によって、健康管理サーバー２０は、移動通信端末１０から生体信号を受信する通信部２３０と、通信部２３０で受信した生体信号に基づいて、使用者の健康状態が危急な状態であるか否かを判断する危急状況判断部２１０と、危急状況判断部２１０で危急な状態であると判断された場合、緊急アラーム信号を生成して通信部２３０を通じて移動通信端末１０に伝送する緊急アラーム部２２０を含む。
【００３７】
通信部２３０は、基地局との通信のためのアンテナとＲＦ回路を含む周知の技術で構成でき、移動通信端末１０の通信部１３０とデータ送受信が可能である。
【００３８】
危急状況判断部２１０は移動通信端末１０から伝送された生体信号から使用者の健康状態をチェックする。一般的に心電図の異常徴候としては、例えば心臓拍動が時々１回ずつ飛ぶ期外収縮、心房が自分勝手に動くために脈拍リズムが全くない心房細動、その他に発作性頻拍や心室細動などがある。前述したように、移動通信端末１０の生体信号測定部１１０で測定したＥＣＧ波形の分析を通じて多様な生理的な現象をモニターできる。本実施形態の一例として、危急状況判断部２１０は、移動通信端末１０から受信した使用者のＥＣＧ波形の心搏動変動率を時間領域及び周波数領域で解析することによって、多様な生理的な指数をモニターし、突然心臓死の危険程度を把握できる。もう一つの実施例として、危急状況判断部２１０は使用者の血糖チェックを通じてショック状態であるか否かを判断することができる。
【００３９】
緊急アラーム部２２０は、危急状況判断部２１０で使用者の健康状態が危険であると判断された場合、移動通信端末１０に緊急アラーム信号を伝送する。本実施形態において、この時に緊急アラーム信号を伝送することは、移動通信端末１０に呼接続要求を伝送することでありうる。
【００４０】
本実施形態において、緊急アラーム部２２０は、使用者の生体信号を分析し、その分析結果によって、他の発信番号に緊急アラーム信号を伝送する。本実施形態の一例として、使用者の生体信号によって使用者に心電図の異常徴候が現れたと判断された場合には、発信番号を０００−１２３４に設定して緊急アラーム信号を伝送する。そうすると、この番号から緊急アラーム信号を受信した移動通信端末は「私が意識不明です。助けてください」というメッセージのベル音を出力する。もう一つの実施例として、使用者の血糖チェックを通じてショック状態であると把握する場合は、発信番号を０００−１２３３に設定して緊急アラーム信号を伝送する。そうすると、移動通信端末は「低血糖ショックです。あめや砂糖をお願いします」というメッセージのベル音を出力する。
【００４１】
前述したように、移動通信端末は当該発信番号に対して、各々状況に応じて適切なベル音を出力するようになるので、使用者が意識を失った状態でも迅速で正確に使用者の状態を判断して応急措置を行うことができる。
【００４２】
本発明の一実施形態におけるもう一つの態様によって、危急状況通知システムはＳＭＳメッセージを生成して伝送する文字メッセージサーバー２４０をさらに含み、緊急アラーム部２２０が緊急アラーム信号をＳＭＳメッセージで伝送する。
【００４３】
文字メッセージサーバー２４０は移動通信網の交換機（Ｍｏｂｉｌｅ  Ｔｅｌｅｐｈｏｎｅ  Ｓｗｉｔｃｈｉｎｇ  Ｏｆｆｉｃｅ）に連結されて移動通信端末１０に短文メッセージ（Ｓｈｏｒｔ  Ｍｅｓｓａｇｅ  Ｓｅｒｖｉｃｅ：ＳＭＳ）を伝達するように機能する。文字メッセージサーバー２４０は移動通信網を通じて多様な文字伝達システムと加入者との間に数字、文字を両方向に送受信するようにする。本実施形態において、文字メッセージサーバー２４０は緊急アラーム部２２０から伝えられる使用者の健康状態によって当該文字メッセージを生成して移動通信端末１０に伝送する。
【００４４】
本発明の一実施形態における追加的な態様によって、移動通信端末１０は受信したＳＭＳメッセージをパスするメッセージパス部１８０をさらに含み、制御部１２０はパスしたＳＭＳメッセージ情報によって、それに対応する音源データをベル音として出力する。
【００４５】
この場合に移動通信端末１０は、特定番号からＳＭＳメッセージが受信されると、これを緊急アラーム信号として判断し、メッセージパス部１８０は受信したＳＭＳメッセージの内容をパスする。そしてメッセージに「心臓」或いは「血糖」という単語が抽出される場合には、当該ベル音を出力するように構成する。本実施形態の一例として、パス結果ＳＭＳメッセージに「心臓」という単語が抽出される場合、「私が意識不明です。助けてください」というメッセージのベル音を出力する。もう一つの実施例として、「血糖」という単語が抽出される場合「低血糖ショックです。あめや砂糖をお願いします」というメッセージのベル音を出力する。
【００４６】
本発明の一実施形態における追加的な態様によって、健康管理サーバー２０は移動通信端末１０の番号に対応する保護者の移動通信端末番号を格納する加入者情報格納部２５０をさらに含み、緊急アラーム部２２０は加入者情報格納部２５０に格納した情報によって保護者の移動通信端末に移動通信端末１０の加入者情報と緊急アラーム信号をさらに伝送する。
【００４７】
加入者情報格納部２５０は加入者情報及びその加入者の保護者の移動通信端末番号を対応させて格納するメモリで実現できる。本実施形態において、加入者プロファイルはデータベース形態で格納する。
【００４８】
このような態様によって、普段健康でない使用者の家族や友人を保護者として登録することが可能であるので、使用者の健康状態が突然危急状況になった時に速かに対処できる効果がある。
【００４９】
図２は、本発明の他の実施形態による危急状況通知システムの構成を概略的に示したブロック図である。本発明の他の実施形態におけるもう一つの態様によって、危急状況通知システムは、使用者の生体信号を測定する生体信号測定部４１０と、危急状況を通知する音源データを格納するデータ格納部４６０と、生体信号測定部４１０で測定した生体信号に基づいて、使用者の健康状態が危急な状態であるか否かを判断する危急状況判断部４５０と、危急状況判断部４５０で危急な状態であると判断されると、データ格納部４６０に格納した音源データのうちいずれかをベル音として出力する制御部４２０と、制御部４２０から出力される音源データを再生してスピーカーから可聴音として出力するデータ出力部４４０を有する移動通信端末を含む。
【００５０】
生体信号測定部４１０は移動通信端末４０使用者の生体信号を測定するもので、一実施例として、使用者の心電図を測定する心電図測定器を含んで構成できる。心電図測定器は患者の身体に付着して人体の電気信号を検知する多数の電極を含む電極部と、電極部で検知した電気信号から生体転位を検出するアナログ信号処理部と、アナログ信号処理部から入力されるアナログデータをデジタルデータに変換するデジタル信号処理部を含んで構成できる。しかし、生体信号測定部４１０は、以上に限定されず、血圧や血糖のように使用者の健康状態を把握できる生体信号を測定可能な構成を全て包括すると解釈すべきである。
【００５１】
データ格納部４６０はフラッシュメモリで実現でき、コンピュータやウェブサイトからダウンロードした音源データを格納する。本実施形態において、データ格納部４６０は使用者の健康状態が危急な場合に、これを外部に通知することができるように、少なくとも一つの音源データを格納する。例えば、音源データは「私が意識不明です。助けてください」或いは「低血糖ショックです。あめや砂糖をお願いします」のように、使用者の状態を通知することができる内容の音声データを含んで圧縮した形態で格納することができる。
【００５２】
危急状況判断部４５０は生体信号測定部４１０を通じて測定した生体信号から使用者の健康状態をチェックする。一般的に心電図の異常徴候には、例えば心臓拍動が時々１回ずつ飛ぶ期外収縮、心房が自分勝手に動くために脈拍リズムが全くない心房細動、その他に発作性頻拍や心室細動などがある。前述したように、生体信号測定部４１０で測定したＥＣＧ波形の分析を通じて多様な生理的な現象をモニターできる。本実施形態の一例として、危急状況判断部４５０は、生体信号測定部４１０から受信した使用者のＥＣＧ波形の心搏動変動率を時間領域及び周波数領域で解析することによって、多様な生理的な指数をモニターし、突然心臓死の危険程度を把握できる。もう一つの実施例として、危急状況判断部４５０は使用者の血糖チェックを通じてショック状態であるか否かを判断することができる。
【００５３】
制御部４２０は、デジタル信号プロセッサーと、マイクロプロセッサー及び他の回路を含んでおり、移動通信端末４０の全体的な動作を制御する通常的な構成である。後述する通信部４３０の基底帯域（ベースバンド）回路と制御部４２０の大部分の回路は、単一の集積回路として商用化され提供されている。通常、ＭＳＭチップと呼ばれるこの集積回路は、その内部に通信処理を行う専用のハードウェアと、デジタル信号処理機及び汎用のマイクロプロセッサーを含む。制御部４２０を構成する各部分は専用のハードウェア或いはソフトウェア、またはこれらの組み合わせにより構成できる。
【００５４】
本実施形態において、制御部４２０は、危急状況判断部４５０の判断結果、使用者の健康状態が危急な場合に、データ格納部４６０に格納した音源データのうちいずれかをベル音として出力する。
【００５５】
データ出力部４４０は制御部４２０から出力されるデータ格納部４６０に格納した音源データのうちいずれかを可聴音として再生して出力する。データ出力部４４０は公知の構成で、制御部４２０から出力された音源データをデコードするデコーダーと、デコードしたデジタルオーディオ信号の音源データをアナログ信号に変換するＤ／Ａ変換器と、アナログ信号に変換した信号を増幅して可聴音として出力するスピーカーを含む。
【００５６】
本実施形態のこのような態様によって、外部の健康管理サーバーとの通信なしに移動通信端末自体内で使用者の生体信号による健康状態を判断し、危急な状態の場合には格納した音源データをベル音として出力することによって、危急状況により速かに反応できる効果がある。
【００５７】
本発明の他の実施形態における追加的な態様によって、移動通信端末４０は生体信号測定部４１０で測定した生体信号を健康管理サーバー５０に伝送する通信部４３０をさらに含み、危急状況通知システムの移動通信端末４０から伝送される使用者の生体信号情報を格納して使用者の健康状態を管理する健康管理サーバー５０をさらに含む。
【００５８】
通信部４３０は、基地局との通信のためのアンテナと、ＲＦ回路を含む周知の技術で構成できる。所定の周波数帯域の無線チャンネルで受信される周波数信号がアンテナを通じて受信されると、これを帯域下降変換（ダウンコンバート）し、データの種類を区別して制御部４２０に出力する。また制御部４２０から入力されるデータを帯域上昇変換（アップコンバート）し、アンテナを通じて所定の周波数帯域の無線信号に変換して基地局に伝送する。本実施形態において、通信部４３０は、制御部４２０の制御によって生体信号測定部４１０で測定した使用者の生体信号情報、或いは危急状況判断部４５０で判断した使用者の健康状態情報を外部の健康管理サーバー５０に伝送する構成である。制御部４２０は生体信号測定部４１０で測定した使用者の生体信号情報を周期的に健康管理サーバー５０に伝送するように構成できる。
【００５９】
健康管理サーバー５０は、病院のような医療専門機関に備えられたコンピュータであり、自体が専門家システムにより運営されて生体指数をモニターできる。このようなモニターは個人が出会う思いがけない危険を予防することに大きく役立つ。以後、個人はウェブサイトを通じて自身の各種生体指数を測定した時間帯別にグラフなどを通じて便利に確認することができる。また遠隔地に位置した専任担当医師は自分に登録された患者の各種生体指数を測定した時間帯別にグラフを通じて確認することによって、長時間に亘るデータを通じて当該患者のためにより正確な診断を行うことが可能である。
【００６０】
本実施形態において、図２に示すように、健康管理サーバー５０は通信部５１０と生体情報格納部５２０とを含む。通信部５１０は、基地局との通信のためのアンテナと、ＲＦ回路を含む周知の技術で構成できる。本実施形態において、通信部５１０は移動通信端末４０から使用者の生体信号情報を受信する。生体情報格納部５２０は通常的なメモリで実現できる。本実施形態において、生体情報格納部５２０は通信部５１０を通じて受信した使用者の生体信号情報を格納する。
【００６１】
本発明によれば、このような態様によって、周期的に受信した使用者の生体信号を累積して格納し、そのデータに基づいて使用者の健康状態に対してより正確な診断を行うことができる効果がある。
【００６２】
本実施形態による移動通信端末４０は、追加的に、近距離無線通信を行う近距離無線通信部４７０をさらに含み、制御部４２０は音源データをベル音として選択して出力した後、所定の時間間操作信号の入力がなければ、近距離無線通信部４７０を通じて非常警報音出力信号を送出することを特徴とする。危急状況通知システムは移動通信端末４０から非常警報音出力信号を受信する近距離無線通信部６１０と、近距離無線通信部６１０を通じて非常警報音出力信号が受信されると、非常警報音を出力する警報音出力部６２０を含む非常警報装置６０をさらに含む。
【００６３】
近距離無線通信部４７０はブルートゥースモジュールでありうる。ブルートゥースモジュールはブルートゥース機器との通信を可能にするモジュールで、ブルートゥースモジュールの間はＨＣＩというインターフェースが定義されており、これに準じるメッセージ（Ｐａｃｋｅｔ）を送受信することによってデータを送受信する。本実施形態において、近距離無線通信部４７０は、ブルートゥースプロトコルに合う形式の電波で、非常警報音出力信号を、アンテナを通じて無線（２．４ＧＨｚ  ＩＳＭ帯域）により伝送する。しかし、近距離無線通信部４７０は、これに限定されるものではなく、ＩｒＤＡ（赤外線通信）、ジグビーのような近距離無線通信が可能ないずれかの構成でありうる。
【００６４】
非常警報装置６０は、移動通信端末４０から非常警報音出力信号を受信する近距離無線通信部６１０と、近距離無線通信部６１０を通じて非常警報音出力信号が受信されると、非常警報音を出力する警報音出力部６２０を含む。
【００６５】
近距離無線通信部６１０は移動通信端末４０の近距離無線通信部４７０とデータ送受信が可能な構成である。
【００６６】
警報音出力部６２０は、非常警報装置６０に備えられたバッテリーから印加される電源により駆動され、約１４０ｄＢの大きい音を出力できる回路から構成される。このような技術は既に公知された事項であるので、その詳細な説明は省略する。本実施形態において、警報音出力部６２０は最小限移動通信端末の最大ボリュームより大きい音、或いは高い周波数の警報音を出力するように構成することが好ましい。本発明において、非常警報装置６０は腕時計、或いは首飾りや移動通信端末４０のアクセサリー形態で使用者が容易に携帯するように構成することが可能である。
【００６７】
これによって、騷音が大き過ぎるため移動通信端末の最大音量によっても効果的に緊急状況を通知することができない場合には、高周波やサイレンなどのように、より強い救助要請信号を出力できる効果がある。
【００６８】
以下に、本発明による危急状況通知システムの移動通信端末で適用可能な危急状況通知方法について説明する。図３は、本発明の一実施形態による危急状況通知方法を概略的に示したフローチャートである。一実施形態において、危急状況の通知は本発明による移動通信端末の制御部で実行する一つのプログラム、或いは有機的に協業する複数のプログラムにより実現する。
【００６９】
本実施形態において、移動通信端末で適用可能な危急状況通知方法は、使用者の生体信号を測定する段階（段階Ｓ１０２）と、測定した生体信号を外部に伝送し（段階Ｓ１０４）、健康管理サーバーから緊急アラーム信号を受信する段階（段階Ｓ１０６）と、緊急アラーム信号が受信されると、データ格納部に格納した音源データをベル音として出力する段階（段階Ｓ１０８）を含む。
【００７０】
前述したように、移動通信端末１０の生体信号測定部１１０は使用者の生体信号を測定する（段階Ｓ１０２）。本実施形態において、生体信号測定部１１０は使用者の心電図や血糖、血圧などを全て測定できる。
【００７１】
そして、移動通信端末１０の制御部１２０は生体信号測定部１１０で測定した使用者の生体信号情報を、通信部１３０を通じて外部の健康管理サーバー２０に伝送する（段階Ｓ１０４）。この時、周期的に生体信号情報を伝送するように構成することができ、使用者が所望する場合には一括的に伝送するように構成することもできる。
【００７２】
この後に移動通信端末１０は、外部の健康管理サーバー２０から緊急アラーム信号が受信されると（段階Ｓ１０６）、データ格納部１６０に格納した音源データの中から当該音源データをベル音として出力する（段階Ｓ１０８）。
【００７３】
本発明の一実施形態によって、ベル音として出力する段階（段階Ｓ１０８）は、受信した緊急アラーム信号の発信番号によって、それに対応する音源データをベル音として出力する。
【００７４】
したがって、緊急アラーム信号の内容に対応する音源データをベル音として出力することによって、患者はより迅速で正確に患者に応急処置を行うことができる効果がある。
【００７５】
以下に、図３を参照して本発明による危急状況通知システムの健康管理サーバー２０において適用可能な危急状況通知方法を説明する。一実施形態において、危急状況の通知は本発明による健康管理サーバーのコンピュータで実行する一つのプログラム、或いは有機的に協業する複数のプログラムにより実現する。
【００７６】
本実施形態において、健康管理サーバーに適用可能な危急状況通知方法は、生体信号を受信する段階（段階Ｓ２０２）と、受信した生体信号に基づいて、使用者の健康状態が危急な状態であるか否かを判断する段階（段階Ｓ２０４）と、判断結果危急な状態であると判断する場合（段階Ｓ２０６）、緊急アラーム信号を生成して移動通信端末に伝送する段階（段階Ｓ２０８）を含む。
【００７７】
前述したように、健康管理サーバー２０の通信部２３０は使用者の移動通信端末１０から使用者の生体信号を受信する（段階Ｓ２０２）。そして、危急状況判断部２１０は、通信部２３０を通じて受信した使用者の生体信号を分析し、使用者の健康状態を把握して危急な状況であるか否かを判断する（段階Ｓ２０４）。本実施形態の一例として、危急状況判断部２１０は、移動通信端末１０から受信した使用者のＥＣＧ波形の心搏動変動率を時間領域及び周波数領域で解析することによって、多様な生理的な指数をモニターと突然心臓死の危険程度を把握できる。もう一つの実施例として、危急状況判断部２１０は使用者の血糖チェックを通じてショック状態であるか否かを判断することができる。
【００７８】
この後に使用者の健康状態が危急な状況であると判断された場合（段階Ｓ２０６）、緊急アラーム部２２０は緊急アラーム信号を生成して移動通信端末１０に伝送する（段階Ｓ２０８）。
【００７９】
本発明の一実施形態によって、移動通信端末に伝送する段階（段階Ｓ２０８）は、緊急アラーム信号をＳＭＳメッセージで伝送する。この時、文字メッセージサーバー２４０は緊急アラーム部２２０から伝えられる使用者の健康状態によって当該文字メッセージを生成して移動通信端末１０に伝送する。
【００８０】
このように、移動通信端末１０は、緊急アラーム信号として伝送されたＳＭＳメッセージをパスすることによって、使用者の状況に合うように救助を要請するメッセージをベル音として出力できる。これによって、患者に迅速で正確に応急措置を行うことができる効果がある。
【００８１】
以上、詳細に説明したように、本発明によれば、生体信号によって使用者の健康状態が危急な状態であるか否かを判断して危急な状態である場合には既に格納した音源データをベル音として出力することによって、人が少ない所で使用者が意識を失ったり激しい痛みを感じたりする場合も他人に救助を要請して速かに対処できる効果がある。
また、本発明によれば、移動通信端末は格納した情報に基づいて、健康管理サーバーからの緊急アラーム信号の発信番号によって、それに対応する音源データをベル音として出力することによって、使用者は自分の健康状態に合う応急処置を迅速で正確に受けることができる効果がある。
さらに、本発明によれば、使用者の健康状態が危急な場合に使用者の移動通信端末だけでなく、指定した使用者の保護者の移動通信端末に危急状況による緊急アラーム信号を伝送することによって、緊急状況に対処できる。
【００８２】
本発明のもう一つの態様によれば、外部の健康管理サーバーとの通信なしに移動通信端末自体内で使用者の生体信号による健康状態を判断し、危急な状態の場合には格納した音源データをベル音として出力することによって、危急状況により速かに反応できる効果がある。
またさらに、本発明によれば、周期的に受信した使用者の生体信号を累積して格納し、そのデータに基づいて使用者の健康状態に対してより正確な診断を行うことができる効果がある。
【産業上の利用可能性】
【００８３】
本発明によれば、生体信号によって使用者の健康状態が危急な状態であるか否かを判断し、危急な状態である場合には既に格納した音源データをベル音として出力することによって、人が少ない所で使用者が意識を失ったり激しい痛みを感じたりする場合にも他人に救助を要請して速かに対処できる。従って、本発明の産業利用性はきわめて高いものといえる。
【００８４】
一方、本明細書内で本発明をいくつかの好ましい実施形態によって記述したが、当業者ならば、本発明の範疇及び思想から外れずに、多くの変形及び修正がなされ得ることがわかる。
【図面の簡単な説明】
【００８５】
【図１】本発明の一実施形態による危急状況通知システムの構成を概略的に示したブロック図である。
【図２】本発明の他の実施形態による危急状況通知システムの構成を概略的に示したブロック図である。
【図３】本発明の一実施形態による危急状況通知方法を概略的に示したフローチャートである。
【符号の説明】
【００８６】
１０、４０    移動通信端末
２０、５０    健康管理サーバー
３０、６０    非常警報装置
１１０、４１０    生体信号測定部
１２０、４２０    制御部
１３０、２３０、４３０、５１０    通信部
１４０、４４０    データ出力部
１５０    電話帳格納部
１６０、４６０    データ格納部
１７０、３１０、４７０、６１０    近距離無線通信部
１８０    メッセージパス部
２１０、４５０    危急状況判断部
２２０    緊急アラーム部
２４０    文字メッセージ（ＳＭＳ）サーバー
２５０    加入者情報格納部
３２０、６２０    警報音出力部
５２０    生体情報格納部
【図１】
2007334893.tif 000003
【図２】
2007334893.tif 000004
【図３】
2007334893.tif 000005